(57)【要約】【課題】種別を表すメインメニューの項目から、順次そのメイン項目に属するサブメニューを表示し、最下位に位置する機能項目を選択して各種の設定や調整を行うための階層型メニュー表示において、機能項目がいずれのメイン項目に属するのかを分かり易くする。【解決手段】メニュー画面２０の最上部に、種別を表すメインメニュー２１の各メイン項目を互いに異なる色で表示し、その項目に従属するサブメニュー２２、さらにそのサブメニュー２２に従属するサブメニュー２３の色をメインメニュー２１の該当するメイン項目の色と同じ色にする。また、利用頻度の高い最下位の機能項目（サブメニュー２３）は、メインメニュー２１の該当するメイン項目と同じ色で自動的にユーザメニューに登録される。【選択図】図２
2008304984.tif 000002
【特許請求の範囲】
【請求項１】
階層構造で登録されているメニューから最下位の階層に位置する機能項目を選択することにより当該機能の実行を可能とし、かつ、利用頻度の高い機能項目を登録してユーザメニューを作成することが可能な階層型メニュー表示装置であって、
最上位の階層に位置する種別用のメイン項目の項目名に対し互いに異なる色を割り当てる手段と、
前記ユーザメニューに登録した機能項目が、その項目の属する前記メイン項目と同じ色で表示される手段とを備えることを特徴とする階層型メニュー表示装置。
【請求項２】
請求項１記載の階層型メニュー装置において、
同じ機能項目が所定回数連続して選択された場合にその機能項目を自動的にユーザメニューへ登録する手段を備えることを特徴とする階層型メニュー表示装置。
【請求項３】
請求項１記載の階層型メニュー装置において、
前々回と同じ機能項目が選択された場合にその機能項目を自動的にユーザメニューへ登録する手段を備えることを特徴とする階層型メニュー表示装置。
【請求項４】
階層構造で登録されているメニューから最下位の階層に位置する機能項目を選択することにより当該機能の実行を可能とし、かつ、利用頻度の高い機能項目を登録してユーザメニューを作成することが可能な階層型メニュー表示方法であって、
最上位の階層に位置する種別用のメイン項目の項目名に対し互いに異なる色を割り当てると共に、前記ユーザメニューに登録した機能項目が、その項目の属する前記メイン項目と同じ色で表示されるようにしたことを特徴とする階層型メニュー表示方法。
【請求項５】
請求項４に記載の階層型メニュー表示方法において、同じ機能項目が所定回数連続して選択された場合にその機能項目を自動的にユーザメニューへ登録することを特徴とする階層型メニュー表示方法。
【請求項６】
請求項４に記載の階層型メニュー表示方法において、前々回と同じ機能項目が選択された場合にその機能項目を自動的にユーザメニューへ登録することを特徴とする階層型メニュー表示方法。
【請求項７】
階層構造で登録されているメニューから最下位の階層に位置する機能項目を選択することにより当該機能の実行を可能とし、かつ、利用頻度の高い機能項目を登録してユーザメニューを作成することが可能な階層型メニュー表示プログラムであって、
最上位の階層に位置する種別用のメイン項目の項目名に対し互いに異なる色を割り当てるステップと、
前記ユーザメニューに登録した機能項目が、その項目の属する前記メイン項目と同じ色で表示されるステップとを実行するための階層型メニュー表示プログラム。
【請求項８】
階層構造で登録されているメニューから最下位の階層に位置する機能項目を選択することにより当該機能の実行を可能とし、かつ、利用頻度の高い機能項目を登録してユーザメニューを作成することが可能な階層型メニュー表示プログラムであって、
同じ機能項目が所定の回数連続して選択された場合にその機能項目を自動的にユーザメニューへ登録するステップを実行するための階層型メニュー表示プログラム。
【請求項９】
階層構造で登録されているメニューから最下位の階層に位置する機能項目を選択することにより当該機能の実行を可能とし、かつ、利用頻度の高い機能項目を登録してユーザメニューを作成することが可能な階層型メニュー表示プログラムであって、
前々回と同じ機能項目が選択された場合にその機能項目を自動的にユーザメニューへ登録するステップを実行するための階層型メニュー表示プログラム。
【発明の詳細な説明】
【技術分野】
【０００１】
本発明は、種別を表すメイン項目から順次その項目に属するサブ項目を表示し、最下位に位置する機能項目を選択して各種の設定や調整を行うための階層型メニューを表示可能にする表示装置、表示方法及びそのプログラムに関する。
【背景技術】
【０００２】
上述した階層型メニュー表示はテレビやモニタあるいはカーナビゲーションその他多くの電気機器に使用されている。
近年、デジタル機器の普及と高機能化及びインターフェイス接続端子の増加により操作機器の画面上に表示するメニュー機能が複雑化し、その結果、メニュー階層が深くなると共に、同じメニュー階層内の選択肢も増加している。このような状況下で、従来の階層型メニュー表示では、深い階層にある所望の項目を選択するには複雑なキー操作を何回も行わなければならなくなっている。この問題を解消する一つの方法として、例えば特許文献１にみられるように、ユーザ自身が良く使う調整項目を登録してユーザメニューを作成し、作成したユーザメニューを表示させて目的の機能項目を選択することにより、メニュー操作の回数を減らするようにしたものがある。
【特許文献１】特開２００６−９９８０３号公報
【発明の開示】
【発明が解決しようとする課題】
【０００３】
しかしながら、種別の異なる各種の機能項目がランダムに登録されるユーザメニューでは、調整項目の種類によっては登録した項目の属するメイン項目が判っていないとその項目の機能が分かりにくい場合があり、特に階層が深くなると項目タイトルだけではその機能が一層分かりにくくなる傾向があるという問題があり、また、ユーザ自らが面倒な登録作業を行わなければならないという問題もある。
【０００４】
本発明はこのような事情に鑑みてなされたものであり、登録した機能項目の機能を分かりやすくし、かつ、面倒な登録作業をせずにユーザメニューを作成することが可能な階層型メニュー表示装置、メニュー表示方法及びそのプログラムを提供することを目的とする。
【課題を解決するための手段】
【０００５】
上記の課題を解決するために、本発明の第１の技術手段は、階層構造で登録されているメニューから最下位の階層に位置する機能項目を選択することにより当該機能の実行を可能とし、かつ、利用頻度の高い機能項目を登録してユーザメニューを作成することが可能な階層型メニュー表示装置であって、最上位の階層に位置する種別用のメイン項目の項目名に対し互いに異なる色を割り当てる手段と、前記ユーザメニューに登録した機能項目が、その項目の属する前記メイン項目と同じ色で表示される手段とを備えることを特徴としたものである。
【０００６】
第２の技術手段は、第１の技術手段において、同じ機能項目が所定回数連続して選択された場合にその機能項目を自動的にユーザメニューへ登録する手段を備えることを特徴としたものである。
【０００７】
第３の技術手段は、第１の技術手段において、前々回と同じ機能項目が選択された場合にその機能項目を自動的にユーザメニューへ登録する手段を備えることを特徴としたものである。
【０００８】
第４の技術手段は、階層構造で登録されているメニューから最下位の階層に位置する機能項目を選択することにより当該機能の実行を可能とし、かつ、利用頻度の高い機能項目を登録してユーザメニューを作成することが可能な階層型メニュー表示方法であって、  最上位の階層に位置する種別用のメイン項目の項目名に対し互いに異なる色を割り当てると共に、前記ユーザメニューに登録した機能項目が、その項目の属する前記メイン項目と同じ色で表示されるようにしたことを特徴としたものである。
【０００９】
第５の技術手段は、第４の技術手段において、同じ機能項目が所定回数連続して選択された場合にその機能項目を自動的にユーザメニューへ登録することを特徴としたものである。
【００１０】
第６の技術手段は、第４の技術手段において、前々回と同じ機能項目が選択された場合にその機能項目を自動的にユーザメニューへ登録することを特徴としたものである。
【００１１】
第７の技術手段は、階層構造で登録されているメニューから最下位の階層に位置する機能項目を選択することにより当該機能の実行を可能とし、かつ、利用頻度の高い機能項目を登録してユーザメニューを作成することが可能な階層型メニュー表示プログラムであって、最上位の階層に位置する種別用のメイン項目の項目名に対し互いに異なる色を割り当てるステップと、前記ユーザメニューに登録した機能項目が、その項目の属する前記メイン項目と同じ色で表示されるステップとを実行するためのものであることを特徴としたものである。
【００１２】
第８の技術手段は、階層構造で登録されているメニューから最下位の階層に位置する機能項目を選択することにより当該機能の実行を可能とし、かつ、利用頻度の高い機能項目を登録してユーザメニューを作成することが可能な階層型メニュー表示プログラムであって、同じ機能項目が所定の回数連続して選択された場合にその機能項目を自動的にユーザメニューへ登録するステップを実行するためのものであることを特徴としたものである。
【００１３】
第９の技術手段は、階層構造で登録されているメニューから最下位の階層に位置する機能項目を選択することにより当該機能の実行を可能とし、かつ、利用頻度の高い機能項目を登録してユーザメニューを作成することが可能な階層型メニュー表示プログラムであって、前々回と同じ機能項目が選択された場合にその機能項目を自動的にユーザメニューへ登録するステップを実行するためのものであることを特徴としたものである。
【発明の効果】
【００１４】
本発明によれば、ユーザメニューを利用して目的の機能項目を選択する際に、その機能項目がどの種別の項目に属するものであるのかが容易に分かるようになり、その機能を理解し易くなる。また、利用頻度の高い機能項目が自動的にユーザメニューへ登録されるので、面倒な登録作業が不要になる。
【発明を実施するための最良の形態】
【００１５】
以下に、本発明をテレビジョン受信装置に適用した場合を例に説明する。図１は、本発明が適用されるテレビジョン受信装置の構成例を示すブロック図である。
テレビジョン受信装置１０は、チューナ部１１、ＩＦ（中間周波数増幅）回路１２、ＯＳＤ（Ｏｎ  Ｓｃｒｅｅｎ  Ｄｉｓｐｌａｙ）回路１３ａを含み、ＩＦ回路１２又は外部入力端子Ｔから入力される映像音声信号を処理する映像音声信号処理部１３、表示部１４（例えば、ＣＲＴ装置やプラズマ表示装置、液晶表示装置、有機／無機ＥＬ装置といった表示装置）、音声出力部１５、制御部１６、リモコン装置ＲＣからの赤外線を受光する赤外線受光部１７、本体キー１８等を備えている。
【００１６】
制御部１６は、ＣＰＵ１６ａ、ＲＯＭ１６ｂ、ＲＡＭ１６ｃ、インターフェイス１６ｄ、ＯＳＤ信号生成部１６ｅを備えており、ハードウェア各部を制御すると共に、ＲＯＭ１６ｂに予め格納されている制御プログラムを適宜ＲＡＭ１６ｃに読み出して実行する。
【００１７】
チューナ部１１は、例えばＵＨＦテレビジョン放送信号及びＶＨＦテレビジョン放送信号、ＢＳ放送信号又はＣＳ放送信号等の受信用チューナであり、ユーザにより選択された放送チャンネルに応じた放送番組の番組データに含まれる映像音声信号は、ＩＦ回路１２を介して映像音声信号処理部１３に入力される。
【００１８】
映像音声信号処理部１３は、ＩＦ回路１２又は外部入力端子Ｔからの映像音声信号を処理し、映像信号を表示部１４へ、音声信号を音声出力部１５へそれぞれ出力する。また、映像音声信号処理部１３は、合成回路１３ａを備え、制御部１６からＯＳＤ信号が出力された場合はそのＯＳＤ信号を映像信号と合成する。
【００１９】
ＲＯＭ１６ｂは、テレビジョン受信装置１０として動作させるために必要な種々の制御プログラムや、本発明の階層型メニュー表示を実行するためのプログラムを格納している。ＲＡＭ１６ｃは、ＳＲＡＭ又はフラッシュメモリ等で構成され、制御部１６による制御プログラムの実行時に発生するデータを一時的に記憶したり、本発明による階層型表示メニューにおいて発生するユーザメニューへの自動登録（後述）等に関する情報を記憶する。
【００２０】
また、ＲＯＭ１６ｂには、本発明に係る階層型メニュー表示を実行する際のメニュー画面情報（メニュー画像）が予め記憶されており、制御部１６は、ユーザ操作に対応するメニュー画面情報をＲＯＭ１６ｂから読み出し、ＯＳＤ信号生成部１６ｅにおいてＯＳＤ信号を生成し、映像音声処理部１３における合成回路１３ａにＯＳＤ信号を出力する。
合成回路１３ａは、チューナ部１１又は外部入力端子Ｔから入力された映像信号とＯＳＤ信号生成部１６ｅからのＯＳＤ信号を合成して表示部１４に映像信号を出力する。
【００２１】
赤外線受光部１７は、リモコン装置ＲＣからの赤外線を受光して所定の電気信号に変換し、得られた電気信号を制御部１６へ入力する。
インターフェイス１６ｄは、赤外線受光部１７から入力された電気信号を解析し、制御部１６は、解析されたコード信号に対応して実行すべき制御プログラムをＲＯＭ１６ｂからＲＡＭ１６ｃに読み出して順次実行する。
【００２２】
本体キー１８は、ユーザが操作するために必要な各種のキーを備えており、ユーザにより各キーが操作された場合、操作されたキーに対応した信号がインターフェイス１６ｄへ入力され、制御部１６は、リモコン装置からの場合と同様に、インターフェイス１６ｄで解析されたコード信号に対応して実行すべき制御プログラムを、ＲＯＭ１６ｂからＲＡＭ１６ｃに読み出して順次実行する。
【００２３】
メニュー画面を表示させるためにリモコン装置ＲＣの所定の操作キーまたは本体キー１８の所定の操作キー（例えばメニューキー）が操作されると、制御部１６は、ＲＯＭ１６ｂから対応するメニュー画面情報を読み出し、その情報をＯＳＤ信号生成部１６ｅに入力し、そのＯＳＤ信号が合成回路１３ａに送られて表示部１４にメニュー画面が表示される。
【００２４】
図２は、本発明におけるメニュー画面の表示例を示したものである。メニュー画面２０の最上部に位置して種別を表すメインメニュー２１の各メイン項目名が互いに異なる色、例えば、「映像調整」は緑系、「音声調整」は青系、「本体設置」は赤系の色で表示されている。図示の表示画面は、左右キーを操作してメイン項目の「映像調整」を強調表示させて従属するサブメニュー２２を表示させ、次いで上下キーを操作して「明るさ調整」「コントラスト」「詳細設定」の内の「詳細設定」を強調表示させ、さらに上下キーを操作して従属するサブメニュー２３の機能項目である「温度設定」を選択するところを表している。
【００２５】
この状態で、リモコン装置の登録キーを操作すると機能項目の「設定温度」がユーザメニューに登録される。
図３は、ユーザメニューに機能項目である「色温度設定」が登録されたところを表しており、その色はメイン項目の「映像調整」を表示している色と同じ緑系の色で表示される。その下に表示されている「チャンネルスキン」は既に登録されている機能項目であり、メイン項目の「本体設置」に従属する機能項目なので赤系の色で表示される。
【００２６】
このように、ユーザメニューに登録した機能項目は、それぞれメイン項目と同じ色で表示されるので、メイン項目の種類が多くなり深い階層でタイトルだけではその機能が分かりにくい場合でも、その機能項目がどのメイン項目に属するものなか直ぐに分かるので各種の調整のためのキー操作が容易に行えるようになる。
【００２７】
次に、図４のフローチャートを参照して、メニュー画面から各機能項目の設定およびユーザメニューへの登録処理について説明する。なお、以下の説明では、各種のキー操作はリモコン装置から行われるものとする。
ユーザがリモコン装置のメニューキーを操作すると、図２で説明したように、各メインメ項目名が色別で表されたメインメニューが表示され(ステップＳ１)、左右キーを操作して目的のメイン項目を選択すると（ステップＳ２）、選択されているメイン項目は強調表示になり（ステップＳ３）、その下にそのメイン項目のサブメニューが表示される（ステップＳ４）。表示されたサブ項目が機能項目でなければ（ステップＳ５／Ｎ）、さらに上下キーを操作して（ステップＳ６）、目的のサブ項目を強調表示させるとそのサブ項目に従属するサブメニューが表示される（ステップＳ７）。
【００２８】
表示されたサブ項目が機能項目でない場合（ステップＳ８／Ｎ）はステップＳ６に戻り、上下キーでサブ項目の選択操作を続ける。ステップＳ５又はステップＳ８において表示されているサブ項目が機能項目の場合はステップＳ９に進む。ステップＳ９で決定キーを操作すると、ステップＳ１０に進み、選択された機能項目の設定用画面が視聴映像上に表示され（ステップＳ１０）、通常の設定・調整を行うことがでる。
【００２９】
ステップＳ９において登録キーが操作されるとステップＳ１１に進んで選択した機能項目がユーザメニューに登録され、次いでステップＳ１２に進み、従属元のメイン項目と同じ色で登録されているすべての機能項目が表示され（図３）、ステップＳ１３に進む。
ステップＳ１３で決定キーを操作するとステップＳ１０に進み、ステップＳ９で決定キーを操作した場合と同様に選択された機能項目の設定用画面が視聴映像上に表示され、通常の設定・調整を行うことができる。設定・調整が終了すると(ステップＳ１４)、処理フローを終了する。
【００３０】
ステップＳ１３でＮＥＸＴキーを操作するとステップＳ１に戻り、次の設定又はユーザ登録の処理を続けることができ、終了キーを操作するとここでの処理フローを終了する。
なお、ステップＳ９で戻るキーを操作した場合は、ステップＳ４に戻り、サブ項目の選択のやり直しができる。
【００３１】
次に、図５のフローチャートを参照して、ユーザメニューへの自動登録処理について説明する。なお、この自動登録処理フローは、自動登録モードが設定されていればテレビの電源を入れることによりスタートする。
ステップＳ１でＮを初期化し、ユーザがメニュー画面を表示させてメニュー選択操作が行われると（ステップＳ２２）、ステップＳ２３に進み、選択した機能項目が前回と同じ場合はＮに“１”を加え(ステップＳ２４)、その連続選択回数Ｎが設定値αを超えた場合（ステップＳ２５／Ｙ）、ステップＳ２７に進む。
【００３２】
一方、ステップＳ２３において、選択された機能項目が前回と同じでない場合はステップＳ２６に進み、その機能項目が前々回と同じ場合はステップＳ２７に進み、同じでない場合は終了する。また、ステップＳ２４で連続選択回数Ｎが設定値αより小さい場合も終了する。
ステップＳ２７で登録可能項目数を超えていなければステップＳ２８に進み、今回選択した機能項目を従属元のメイン項目と同じ色でユーザメニューに登録する。ステップＳ２７で登録可能項目数を超えていると判断された場合はステップＳ２９に進み、登録数オーバーで登録できない旨のメッセージを表示し、フローを終了する。
【００３３】
なお、登録数オーバーの場合は、ユーザメニュー登録されている機能項目の中で利用頻度の低いものを自動的に削除して、今回の機能項目を登録するようにしても良い。
【図面の簡単な説明】
【００３４】
【図１】本発明が適用されるテレビジョン受信装置の構成例を示すブロック図である。
【図２】本発明に係る階層型メニュー表示におけるメニュー画面の一例を示す模式図である。
【図３】本発明に係る階層型メニュー表示におけるユーザメニュー画面を説明するための模式図である。
【図４】本発明に係る階層型メニュー表示におけるメニュー画面から各機能項目の設定・調整およびユーザメニューへの登録処理について説明するためのフローチャートである。
【図５】本発明に係る階層型メニュー表示におけるユーザメニューの自動登録処理手順を示すフローチャートである。
【符号の説明】
【００３５】
１０…テレビジョン受信装置、１１…チューナ部、１２…ＩＦ回路、１３…映像音声信号処理部、１３ａ…合成回路、１４…表示部、１５…音声出力部、１６…制御部、１６ａ…ＣＰＵ、１６ｂ…ＲＯＭ、１６ｃ…ＲＡＭ、１６ｄ…インターフェイス、１６ｅ…ＯＳＤ信号生成部、１７…赤外線受光部、１８…本体キー、ＡＴ…アンテナ、Ｔ…外部入力端子、ＲＣ…リモコン装置、２０…メニュー画面、２１…メインメニュー、２２，２３…サブメニュー。
【図１】
2008304984.tif 000003
【図２】
2008304984.tif 000004
【図３】
2008304984.tif 000005
【図４】
2008304984.tif 000006
【図５】
2008304984.tif 000007